(57)【特許請求の範囲】
【請求項１】
映像源から投射された映像光の一部を反射して映像を表示し、該映像光の一部を透過する反射スクリーンと、
前記反射スクリーンに映像光を投射する映像源と、
を備える映像表示装置であって、
前記反射スクリーンは、
光透過性を有し、映像光が入射する第１の面とこれに対向する第２の面とを有する単位光学形状が、背面側の面に複数配列された光学形状層と、
前記単位光学形状の少なくとも前記第１の面の一部に沿って形成され、入射した光の一部を反射し、入射したその他の光の少なくとも一部を透過する機能を有し、少なくとも前記単位光学形状側の面が不規則な凹凸形状を有する粗面である反射層と、
を備え、
前記映像源は、前記反射スクリーンのスクリーン面の正面方向から見て、前記反射スクリーンの表示領域外に位置し、
前記第１の面は、前記単位光学形状の配列方向及び前記反射スクリーンの厚み方向に平行な断面において、その映像源側の端が背面側の端部よりも前記映像源から遠い位置となるように傾斜しており、
前記反射層の前記単位光学形状側の面の前記凹凸形状の凹凸の平均傾斜角θａが、２〜８°であること、
を特徴とする映像表示装置。
【請求項２】
請求項１に記載の映像表示装置において、
前記反射層の前記単位光学形状側の面の前記凹凸形状の凹凸の平均間隔Ｓｍが、１〜５０μｍであること、
を特徴とする映像表示装置。
【請求項３】
請求項１又は請求項２に記載の映像表示装置において、
前記単位光学形状の前記第１の面は、その表面に不規則な凹凸形状を有する粗面であり、
前記反射層の前記凹凸形状は、前記単位光学形状の凹凸形状に追従して形成されていること、
を特徴とする映像表示装置。
【請求項４】
請求項１から請求項３までのいずれか１項に記載の映像表示装置において、
前記反射スクリーンのスクリーン面に入射角０°で入射した光の全光線透過率は、４０〜９０％であること、
を特徴とする映像表示装置。
【請求項５】
請求項１から請求項４までのいずれか１項に記載の映像表示装置において、
前記反射スクリーンのヘイズ値は、１０％以下であること、
を特徴とする映像表示装置。
【請求項６】
請求項１から請求項５までのいずれか１項に記載の映像表示装置において、
前記反射スクリーンは、光を拡散する機能を有する拡散粒子を含有する光拡散層を備えていないこと、
を特徴とする映像表示装置。
【請求項７】
請求項１から請求項６までのいずれか１項に記載の映像表示装置において、
前記反射スクリーンは、光透過性を有し、前記光学形状層及び前記反射層よりも背面側に、前記単位光学形状による凹凸の谷部を充填するように積層された第２光学形状層を備えること、
を特徴とする映像表示装置
【発明の詳細な説明】
【技術分野】
【０００１】
本発明は、反射スクリーンを備える映像表示装置に関するものである。
【背景技術】
【０００２】
従来、映像源から投射された映像光を反射して表示する反射スクリーンとして、様々なものが開発されている（例えば、特許文献１参照）。なかでも、透明性を有する半透過型の反射スクリーンは、スクリーンの向こう側の景色を見ることができ、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
しかし、このような透明性を有する半透過型の反射スクリーンは、光を拡散する作用を有する拡散粒子等を含有する光拡散層を備えていると、スクリーンの向こう側の景色が白っぽくぼやけて観察され、意匠性の低下を招くため、透明性の向上が課題となっていた。また、各種スクリーンにおいて、明るく十分な視野角を有する良好な映像を表示することは、常々求められることである。
上述の特許文献１には、透過型、反射型の両方に使用することができるスクリーンが提案されており、背面側からの光を透過することが可能である。しかし、この特許文献１には、透明性の向上に関する対策に関してはなんら開示されていない。
【０００５】
本発明の課題は、透明性が高く、良好な映像を表示できる反射スクリーンを備える映像表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
第１の発明は、映像源から投射された映像光の一部を反射して映像を表示し、該映像光の一部を透過する反射スクリーンであって、光透過性を有し、映像光が入射する第１の面（１２１ａ）とこれに対向する第２の面（１２１ｂ）とを有する単位光学形状（１２１）が、背面側の面に複数配列された光学形状層（１２）と、前記単位光学形状の少なくとも前記第１の面の一部に沿って形成され、入射した光の一部を反射し、入射したその他の光の少なくとも一部を透過する機能を有し、少なくとも前記単位光学形状側の表面が不規則な凹凸形状を有する粗面である反射層（１３）と、を備え、前記反射層の前記単位光学形状（１２１）側の面の前記凹凸形状の凹凸の平均傾斜角θａは、２〜８°であること、を特徴とする反射スクリーン（１０）である。
第２の発明は、第１の発明の反射スクリーンにおいて、前記反射層の前記単位光学形状側の面の前記凹凸形状の凹凸の平均間隔Ｓｍが、１〜５０μｍであること、を特徴とする反射スクリーン（１０）である。
第３の発明は、第１の発明又は第２の発明の反射スクリーンにおいて、前記単位光学形状（１２１）の前記第１の面（１２１ａ）は、その表面に不規則な凹凸形状を有する粗面であり、前記反射層（１３）の前記凹凸形状は、前記単位光学形状の凹凸形状に追従して形成されていること、を特徴とする反射スクリーン（１０）である。
第４の発明は、第１の発明から第３の発明までのいずれかの反射スクリーンにおいて、該反射スクリーンのスクリーン面に入射角０°で入射した光の全光線透過率は、４０〜９０％であること、を特徴とする反射スクリーン（１０）である。
第５の発明は、第１の発明から第４の発明までのいずれかの反射スクリーンにおいて、該反射スクリーンのヘイズ値は、１０％以下であること、を特徴とする反射スクリーン（１０）である。
第６の発明は、第１の発明から第５の発明までのいずれかの反射スクリーンにおいて、光を拡散する機能を有する拡散粒子を含有する光拡散層を備えていないこと、を特徴とする反射スクリーン（１０）である。
第７の発明は、第１の発明から第６の発明までのいずれかの反射スクリーンにおいて、光透過性を有し、前記光学形状層（１２）及び前記反射層（１３）よりも背面側に、前記単位光学形状による凹凸の谷部を充填するように積層された第２光学形状層を備えること、を特徴とする反射スクリーン（１０）である。
第８の発明は、第１の発明から第７の発明までのいずれかの反射スクリーン（１０）と、前記反射スクリーンに映像光を投射する映像源（ＬＳ）と、を備える映像表示装置（１）である。
【発明の効果】
【０００７】
本発明によれば、透明性が高く、良好な映像を表示できる反射スクリーンを備える映像表示装置を提供することができる。
【図面の簡単な説明】
【０００８】
【図１】実施形態の映像表示装置１を示す図である。
【図２】実施形態のスクリーン１０の層構成を説明する図である。
【図３】実施形態の第１光学形状層１２を背面側（−Ｚ側）から見た図である。
【図４】実施形態のスクリーン１０での映像光及び外光の様子を示す図である。
【図５】変形形態の映像表示装置１Ａを示す図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、記載する各部材の寸法等の数値及び材料名等は、実施形態としての一例であり、これに限定されるものではなく、適宜選択して使用してよい。
【００１０】
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１１】
（実施形態）
図１は、本実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、画面上に映像を表示する反射スクリーンである。このスクリーン１０の詳細に関しては、後述する。
【００１２】
ここで、理解を容易にするために、図１を含め以下に示す各図において、適宜、ＸＹＺ直交座標系を設けて示している。この座標系では、スクリーン１０の画面の左右方向（水平方向）をＸ方向、上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て画面左右方向の右側に向かう方向を＋Ｘ方向、画面上下方向の上側に向かう方向を＋Ｙ方向、厚み方向において背面側（裏面側）から映像源側（観察者側）に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１３】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を正面方向（スクリーン面の法線方向）から見た場合に、スクリーン１０の画面左右方向の中央であって、スクリーン１０の画面よりも鉛直方向下方側に位置している。
映像源ＬＳは、奥行き方向（Ｚ方向）において、スクリーン１０の表面からの距離が、従来のスクリーンの画面正面方向に位置する汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光がスクリーン１０に入射する入射角度が大きく、入射角度の変化量（入射角度の最小値から最大値までの変化量）も大きい。
【００１４】
スクリーン１０は、映像源ＬＳが投射した映像光Ｌを映像源側の正面方向に位置する観察者Ｏ１側へ向けて反射し、映像を表示でき、かつ、スクリーン１０の向こう側（背面側，−Ｚ側）の景色を観察できる半透過型の反射スクリーンである。
スクリーン１０の画面（表示領域）は、使用状態において、観察者Ｏ１側から見て長辺方向が画面左右方向となる略矩形状である。
スクリーン１０は、その画面サイズが対角８０〜１００インチ程度の大きな画面を有しており、画面の横縦比が１６：９である。なお、これに限らず、例えば、４０インチ程度やそれ以下の大きさとしてもよく、使用目的や使用環境等に応じて、その大きさや形状は適宜選択できるものとする。
【００１５】
一般的に、スクリーン１０は、樹脂製の薄い層の積層体等であり、それ単独では平面性を維持するだけの十分な剛性を有していない場合が多い。そのため、本実施形態のスクリーン１０は、その背面側に光透過性を有する不図示の接合層を介して不図示の支持板に一体に接合（あるいは部分固定）され、画面の平面性を維持する形態としてもよい。
このような支持板は、光透過性を有し、剛性が高い平板状の部材であり、アクリル樹脂やＰＣ樹脂等の樹脂製、ガラス製等の板状の部材を用いることができる。また、これに限らず、スクリーン１０は、不図示の枠部材等によってその四辺等が支持され、その平面性を維持する形態としてもよい。
本実施形態の映像表示装置１は、例えば、店舗のショーウィンドウに適用される。このとき、スクリーン１０は、ショーウィンドウのガラスを上記支持板として固定される形態とすることが好適である。
【００１６】
図２は、本実施形態のスクリーン１０の層構成を説明する図である。図２では、スクリーン１０の画面中央（画面の幾何学的中心）となる点Ａ（図１（ａ）、（ｂ）参照）を通り、画面上下方向（Ｙ方向）に平行であって、スクリーン面に直交（Ｚ方向に平行）する断面の一部を拡大して示している。
図３は、本実施形態の第１光学形状層１２を背面側（−Ｚ側）から見た図である。理解を容易にするために、反射層１３や第２光学形状層１４、保護層１５等を省略して示している。
スクリーン１０は、図２に示すように、厚み方向（Ｚ方向）において、その映像源側（＋Ｚ側）から順に、基材層１１、第１光学形状層１２、反射層１３、第２光学形状層１４、保護層１５等を備えている。
【００１７】
基材層１１は、光透過性を有するシート状の部材であり、その背面側（−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
基材層１１は、スクリーン１０の画面サイズ等に応じてその厚さを適宜設定してよい。
【００１８】
第１光学形状層１２は、基材層１１の背面側（−Ｚ側）に形成された光透過性を有する層である。第１光学形状層１２の背面側（−Ｚ側）の面には、単位光学形状（単位レンズ）１２１が複数配列されて設けられている。
単位光学形状１２１は、図３に示すように、第１光学形状層１２をスクリーン面の法線方向背面側から見たときに、真円の一部形状（円弧状）であり、スクリーン１０の画面（表示領域）外に位置する点Ｃを中心として、同心円状に複数配列されている。即ち、第１光学形状層１２は、点Ｃを中心（フレネルセンター）とする、いわゆるオフセット構造のサーキュラーフレネルレンズ形状を背面側に有している。
この点Ｃは、図３に示すように、画面左右方向の中央であって画面下方に位置している。したがって、スクリーン１０を正面方向から見た場合、点Ｃと点Ａとは、Ｙ方向に平行な同一直線上に位置している。
【００１９】
なお、本実施形態では、第１光学形状層１２の背面側の面には、サーキュラーフレネルレンズ形状が形成される例を示したが、これに限らず、第１光学形状層１２の背面側の面には、単位光学形状１２１が画面左右方向（Ｘ方向）を長手方向とし、画面上下方向（Ｙ方向）に配列されたリニアフレネルレンズ形状が形成される形態としてもよい。
【００２０】
単位光学形状１２１は、図２に示すように、スクリーン面に直交する方向（Ｚ方向）に平行であって、単位光学形状１２１の配列方向に平行な断面における断面形状が、略三角形形状である。
単位光学形状１２１は、背面側に凸であり、映像光が入射する第１斜面（レンズ面）１２１ａと、これに対向する第２斜面（非レンズ面）１２１ｂとを有している。１つの単位光学形状１２１において、第１斜面１２１ａは、頂点ｔを挟んで第２斜面１２１ｂの上側（＋Ｙ側）に位置している。
【００２１】
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この単位光学形状１２１の第１斜面１２１ａ及び第２斜面１２１ｂは、微細かつ不規則な凹凸形状を有している。この微細な凹凸形状は、凸形状と凹形状とが２次元方向に不規則に配列されて形成されており、凸形状及び凹形状は、その大きさや形状、高さ等は不規則である。
【００２２】
単位光学形状１２１の配列ピッチは、Ｐであり、単位光学形状１２１の高さ（厚み方向における頂点ｔから単位光学形状１２１間の谷底となる点ｖまでの寸法）は、ｈである。
理解を容易にするために、図２では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、角度θ１が単位光学形状１２１の配列方向においてフレネルセンターとなる点Ｃから離れるにつれて次第に大きくなっている。
また、角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰが変化し、角度θ１，θ２が変化する形態としてもよい。
【００２３】
本実施形態では、配列ピッチＰは、約５０〜５００μｍであることが好ましい。配列ピッチＰが５０μｍ未満である場合、所望の光学性能を実現する単位光学形状１２１の製造が困難となり、生産コストが増加するため、好ましくない。また、配列ピッチＰが５００μｍよりも大きい場合は、観察者Ｏ１等がスクリーン１０を観察する際に、単位光学形状１２１が筋状に視認される可能性があり、好ましくない。したがって、配列ピッチＰは、上記範囲が好ましい。
また、角度θ１は、５〜３０°であることが好ましい。角度θ１が、５°未満であったり、３０°よりも大きいかったりすると、第１光学形状層１２の屈折率にも依るが、単位光学形状１２１に形成された反射層１３によって観察者Ｏ１が良好に映像を視認できる方向へ映像光を反射することが困難となるため好ましくない。したがって、角度θ１は、上記範囲が好ましい。
【００２４】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２５】
反射層１３は、単位光学形状１２１上（第１斜面１２１ａ及び第２斜面１２１ｂ上）に形成されている。また、反射層１３は、入射した光の一部を反射し、その他を透過する半透過型の反射層、いわゆるハーフミラーである。
前述のように、第１斜面１２１ａ及び第２斜面１２１ｂは、微細かつ規則な凹凸形状が形成されており、反射層１３は、この微細な凹凸形状に追従して形成され、第１斜面１２１ａ及び第２斜面１２１ｂの凹凸形状を維持して成膜されている。したがって、反射層１３の映像源側の面（第１光学形状層１２側の面）と、背面側の面（第２光学形状層１４側の面）とは、微細かつ不規則な凹凸形状を有するマット面（粗面）となっている。
この反射層１３は、入射した光の一部を反射面の微細かつ不規則な凹凸形状により拡散して反射し、反射しない他の光を拡散しないで透過するという機能を有する。
【００２６】
この反射層１３の反射率及び透過率は、所望する光学性能に合わせて適宜に設定できるが、映像光を良好に反射させるとともに、映像光以外の光（例えば、太陽光等の外界からの光）を良好に透過させる観点から、透過率が約４０〜９０％、反射率が約５〜４５％であることが望ましい。なお、この反射率は、スクリーン１０全体での反射率から、スクリーン１０の表裏面での反射率を除いた反射率であり、実質的に反射層１３単体での反射率に相当するものである。
【００２７】
このような反射層１３は、光反射性の高い金属、例えば、アルミニウム、銀、ニッケル等により形成され、その厚さは、例えば、数１０Å程度である。本実施形態の反射層１３は、アルミニウムを蒸着することにより形成されている。
なお、反射層１３は、これに限らず、例えば、光反射性の高い金属をスパッタリングしたり、金属箔を転写したり、金属薄膜を含有した塗料を塗布したりする等により形成してもよい。また、反射層１３は、誘電体多層膜を蒸着することにより形成してもよい。
【００２８】
また、第１斜面１２１ａに形成された反射層１３において、反射層１３の表面が鏡面状であり、入射した映像光が鏡面反射する鏡面領域（即ち、微細かつ不規則な凹凸形状が形成されていない領域）は、第１斜面１２１ａ上に形成された反射層１３の単位面積当たり５％以下であることが、映像光を十分に拡散し、良好な視野角を得るために必要であり、０％であることが理想的である。
第１斜面１２１ａに形成された反射層１３の単位面積当たりにおいて、上述のような鏡面領域が５％を超えると、拡散されず反射して観察者Ｏ１側に到達する映像光の成分により輝線が生じたり、映像の視野角が低下したりするため、好ましくない。
なお、反射層１３の表面の微細かつ不規則な凹凸形状の詳細に関しては、後述する。
【００２９】
第２光学形状層１４は、第１光学形状層１２の背面側（−Ｚ側）に設けられた光透過性を有する層である。第２光学形状層１４は、第１光学形状層１２の背面側（−Ｚ側）の面を平坦にするために設けられており、単位光学形状１２１間の谷部を埋めるように形成されている。したがって、第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護することができ、スクリーン１０の背面側の面に保護層１５等を積層しやすくなり、また、支持板等への接合も容易となる。
第２光学形状層１４の屈折率は、第１光学形状層１２と同等であることが望ましい。また、第２光学形状層１４は、前述の第１光学形状層１２と同じ紫外線硬化型樹脂を用いて形成することできる。
【００３０】
保護層１５は、第２光学形状層１４の背面側（−Ｚ側）に形成される層であり、このスクリーン１０の背面側を保護する機能を有している。
保護層１５は、光透過性の高い樹脂製のシート状の部材が用いられる。保護層１５は、例えば、前述の基材層１１と同様の材料を用いて形成されたシート状の部材を用いてもよい。
上述のように、本実施形態のスクリーン１０は、光を拡散する作用を有する拡散粒子等の拡散材を含有した光拡散層を備えておらず、映像光等は、反射層１３の表面の凹凸形状によって反射時に拡散される。
【００３１】
ここで、スクリーン１０が良好な視野角及び明るさ等を有する映像を表示する観点から、反射層１３の表面の凹凸形状は、下記条件を満たすことが好ましい。
反射層１３は、その表面の微細かつ不規則な凹凸形状の凹凸の平均傾斜角θａが、２〜８°であることが好ましい。
平均傾斜角θａは、凹凸形状の凸部の頂点と凹部の谷底なる点とを結ぶ平面が、基準となる平面に対してなす角度の平均値である。本実施形態の平均傾斜角θａは、単位光学形状１２１の配列方向及びスクリーン１０の厚み方向に平行な反射層１３の断面において、その凹凸形状の凹凸の傾斜角度を走査型白色干渉計や触針式表面粗さ測定器により、単位光学形状１２１の１周期以上の範囲で凹凸の傾斜角度を測定し、その平均値を算出する、又は、凹凸を近似する曲線を一次微分して傾きとなる傾斜角度を算出してその平均値を算出する等により、得ることができる。
【００３２】
凹凸の平均傾斜角θａが２°未満であると、視野角が狭くなり過ぎ、映像が視認し難くなるため、好ましくない。また、凹凸の平均傾斜角θａが８°よりも大きいと、映像のゲインが低下し、表示される映像が暗くなるため、好ましくない。
したがって、反射層１３の表面の凹凸形状は、凹凸の平均傾斜角θａが上記範囲を満たしていることが好ましい。
【００３３】
また、反射層１３は、上記の好ましい平均傾斜角θａを満たしながら、さらに、その表面の微細かつ不規則な凹凸形状の凹凸の平均間隔Ｓｍ（ＪＩＳ  Ｂ  ０６０１−１９９４に準拠）が、１〜５０μｍであることがより好ましい。
凹凸の平均間隔Ｓｍは、走査型白色干渉計や触針式表面粗さ測定器により、単位光学形状１２１の１周期以上の範囲で凹凸の間隔を測定し、平均を算出することにより得られる。
凹凸の平均間隔Ｓｍが１μｍ未満であると、反射光を拡散する作用が十分得られないため、好ましくない。また、凹凸の平均間隔Ｓｍが５０μｍより大きいと、映像の滑らかさが低下し、シンチレーションが生じて映像がぎらついて観察されたり、単位光学形状１２１の形状が潰れてレンズ効果（集光効果）が低減し、観察者側へ反射される映像光の光量が減って映像が暗くなったりする。したがって、更なる画質の向上のために、反射層１３の表面の凹凸形状は、凹凸の平均間隔Ｓｍが上記範囲を満たすことが好ましい。
【００３４】
また、本実施形態のスクリーン１０は、スクリーン面に直交する方向（スクリーン面への入射角０°）からの入射光の全光線透過率が、４０〜９０％であることが好ましい。
全光線透過率は、スクリーン１０に入射角０°で入射する光に対する全透過光の割合であり、スクリーン１０の画面中央となる点Ａにおいて、ヘイズメーター（例えば、株式会社村上色彩研究所製のＨＭ−１５０等）により測定可能である。
この全光線透過率が４０％未満となるとき、スクリーンとしての透明性が低下し、スクリーンを通して観察される透過背景が暗くなるため、好ましくない。また、全光線透過率が９０％よりも大きくなると、透過光量が大きくなり過ぎ、表示される映像が暗くなるため好ましくない。したがって、スクリーン１０の全光線透過率は、上記範囲が好ましい。
スクリーン１０の全光線透過率は、上述のように、点Ａにおいて測定するが、画面全体において上記範囲を満たしていることが好ましい。また、本実施形態のスクリーン１０では、映像源側から入射角０°で光が入射した場合の全光線透過率と、背面側から入射角０°で光が入射した場合の全光線透過率とは等しい。
【００３５】
また、スクリーン１０は、そのヘイズ値が、可能な限り低いことが望ましく、０％であることが理想であり、１０％未満であることが好ましい。
このヘイズ値は、全光線透過率における拡散透過率の割合であり、スクリーン１０の画面中央となる点Ａにおいて、ヘイズメーター（例えば、株式会社村上色彩研究所製のＨＭ−１５０等）により測定可能である。ヘイズ値が、１０％よりも大きくなると、スクリーン１０の透明性が低下し、スクリーンの向こう側の景色が白っぽく観察され、スクリーン１０の透明性が低下したり、また、映像のコントラストが低下したりするため、好ましくない。したがって、スクリーン１０のヘイズ値は、上記範囲が好ましい。
スクリーン１０のヘイズ値は、上述のように、点Ａにおいて測定するが、画面全体において上記範囲を満たしていることが好ましい。
【００３６】
スクリーン１０は、例えば、以下のような製造方法により形成される。
基材層１１を用意し、その一方の面に、単位光学形状１２１を賦形する成形型に紫外線硬化型樹脂を充填した状態で積層し、紫外線を照射して紫外線硬化型樹脂を硬化させるＵＶ成形法により第１光学形状層１２を形成する。
このとき、単位光学形状１２１を賦形する成形型の第１斜面１２１ａ及び第２斜面１２１ｂを賦形する面には、微細かつ不規則な凹凸形状が形成されている。この凹凸形状は、成形型の第１斜面１２１ａ及び第２斜面１２１ｂを賦形する面に、表面加工を複数回行うことにより形成できる。この表面加工は、例えば、めっき加工や、エッチング加工、ブラスト加工等である。また、表面加工は、各種条件等を変更して複数回行ってもよい。
第１光学形状層１２を基材層１１の一方の面に形成した後、第１斜面１２１ａ及び第２斜面１２１ｂに、アルミニウムを蒸着する等により反射層１３を形成する。
【００３７】
その後、反射層１３の上から、単位光学形状１２１による凹凸の谷部を充填して背面側の面が平面状となるように紫外線硬化型樹脂を塗布し、保護層１５を積層し、紫外線を照射して紫外線硬化型樹脂を硬化させ、第２光学形状層１４及び保護層１５を一体に形成する。その後、所定の大きさに裁断する等により、スクリーン１０が完成する。
なお、基材層１１及び保護層１５は、枚葉状としてもよいし、ウェブ状としてもよい。また、スクリーン１０が保護層１５を備えない形態とする場合には、保護層１５積層せずに紫外線硬化型樹脂を硬化させてもよい。
【００３８】
反射層１３の表面に微細な凹凸形状を形成する方法として、例えば、第１斜面１２１ａ，第２斜面１２１ｂ上に拡散粒子等を塗布してその上から反射層１３を形成したり、第１光学形状層１２を形成後に第１斜面１２１ａ，第２斜面１２１ｂにブラスト加工を１回行った後に反射層１３を形成したりする方法等が従来知られている。しかし、このような製法では、個々のスクリーン１０での拡散特性や品質等のばらつきが大きく、安定した製造が行えない。
これに対して、上述のように、単位光学形状１２１の第１斜面１２１ａ，第２斜面１２１ｂに凹凸形状を成形型によって賦形することにより、多数のスクリーン１０を製造する場合にも、品質のばらつきが少なく、安定して製造できるという利点がある。
【００３９】
図４は、本実施形態のスクリーン１０での映像光及び外光の様子を示す図である。図４では、点Ａを通り、単位光学形状１２１の配列方向（Ｙ方向）及びスクリーンの厚み方向（Ｚ方向）に平行な断面での断面の一部を拡大して示している。また、図４では、理解を容易にするために、スクリーン１０内の各層の界面における屈折率差はないものとして示している。
スクリーン１０の下方に位置する映像源ＬＳから投射され、スクリーン１０に入射した映像光Ｌ１のうち、一部の映像光Ｌ２は、その単位光学形状１２１の第１斜面１２１ａに入射し、反射層１３によって拡散反射され、観察者Ｏ１側へ出射する。
【００４０】
第１斜面１２１ａに入射した映像光のうち反射しなかった他の映像光Ｌ３は、反射層１３を透過し、スクリーン１０の背面側（−Ｚ側）から出射する。このとき、映像光Ｌ３は、スクリーン１０の上方へと出射する等し、スクリーン１０の背面側の正面方向に位置する観察者Ｏ２には到達しない。
また、映像源ＬＳから投射された映像光Ｌ１うち、一部の映像光Ｌ４は、スクリーン１０の表面で反射し、スクリーン１０上方へ向かうので、観察者Ｏ１の映像の視認の妨げにはならない。
【００４１】
なお、本実施形態では、映像光Ｌ１がスクリーン１０の下方から投射され、かつ、角度θ２（図２参照）がスクリーン１０の画面上下方向の各点における映像光の入射角度よりも大きいので、映像光が第２斜面１２１ｂに直接入射することはなく、第２斜面１２１ｂは、映像光の反射にはほとんど影響しない。
【００４２】
次に、背面側（−Ｚ側）又は映像源側（＋Ｚ側）の上方からスクリーン１０に入射する映像光以外の太陽光等の外界からの光（以下、外光という）について説明する。
図４に示すように、スクリーン１０に上方から入射する外光Ｇ１，Ｇ５のうち、一部の外光Ｇ２，Ｇ６は、スクリーン１０の表面で反射し、スクリーン下方側へ向かう。また、外光Ｇ１のうち、一部の外光Ｇ３は、反射層１３で反射し、一部がスクリーン１０下方へ出射するが、一部は、スクリーン１０の映像源側（＋Ｚ側）の表面で全反射してスクリーン１０内下方へ向かい、減衰する。外光Ｇ５のうち、一部の外光Ｇ７は、反射層１３で反射し、背面側（−Ｚ側）のスクリーン１０上方側へ出射する。また、反射層１３で反射しなかった他の外光Ｇ４，Ｇ８は、反射層１３を透過して、それぞれスクリーン１０の背面側下方、映像源側下方へ出射する。このとき、映像源側へ出射する外光Ｇ２，Ｇ３，Ｇ８は、観察者Ｏ１には到達しないので、外光による映像のコントラスト低下を抑制できる。
【００４３】
また、図示しないが、スクリーン１０に映像源側、背面側から入射した外光の一部は、スクリーン１０の背面側、映像源側の表面で全反射して、スクリーン内部下方側へ向かい、減衰する。
また、小さな入射角度でスクリーン１０に入射する他の外光Ｇ９，Ｇ１０は、反射層１３を透過して、それぞれ背面側、映像源側へ出射する。スクリーン１０は、光を拡散する拡散粒子等を含有する光拡散層等を備えておらず、反射層１３は、透過する光を拡散しないので、このスクリーン１０を透過する外光Ｇ９，Ｇ１０は、拡散されない。したがって、スクリーン１０を通して、スクリーン１０の向こう側の景色を観察した場合に、スクリーン１０の向こう側の景色がぼやけたり、白くにじんだりすることなく、高い透明性を有して観察することができる。
【００４４】
従来の拡散粒子を含有する光拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察される。
【００４５】
しかし、本実施形態のスクリーン１０では、反射層１３の表面が微細かつ不規則な凹凸形状を有する以外は、拡散作用を有しないので、映像光は反射時のみ拡散される。また、本実施形態のスクリーン１０では、反射層１３で反射する光のみが拡散され、透過光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。
また、本実施形態のスクリーン１０では、スクリーン１０に映像光が投射された状態においても、観察者Ｏ１が、スクリーン１０の向こう側（背面側）の景色を一部視認することが可能である。さらに、スクリーン１０では、背面側に位置する観察者Ｏ２は、映像光の投射の有無に関わらず、スクリーン１０越しに映像源側（＋Ｚ側）の景色を高い透明性を有して良好に視認することができる。
【００４６】
ここで、反射層１３の表面について、凹凸の平均傾斜角θａが異なる測定例１〜６のスクリーンを用意して、視野角、ピークゲインについて評価を行った。各測定例のスクリーンは、凹凸の平均傾斜角θａの値が異なる以外は、同様の形態であり、凹凸の平均間隔Ｓｍや、全光線透過率、ヘイズ値はいずれも好ましい範囲を満たしている。
また、各測定例のスクリーンの反射層１３の表面の凹凸の平均傾斜角θａの測定方法は、前述の通りである。
【００４７】
視野角に関しては、以下の方法にて測定した。まず、各測定例のスクリーンに実際に映像源ＬＳから白色光を投射し、画面中央となる点Ａを通り画面左右方向に平行な面内での反射光の輝度分布を測定する。その輝度分布において、ピーク輝度の１／２となる輝度の絶対値の平均値を視野角とする。
視野角は、５°以上であることが好ましい。したがって、下記の表１において、各測定例のスクリーンについて、視野角が５°以上であるものを良とし、５°未満であるものを不可として評価した。
【００４８】
ピークゲインは、暗室環境下において、各測定例のスクリーンに白色光を投射し、画面中央となる点Ａに入射する光の照度と、点Ａから出射する光の輝度（画面中央となる点Ａを通り画面左右方向に平行な面内での反射光の輝度）とを測定し、これらの値から算出したゲインのうち、最も値の高いものである。
ピークゲインは、０．５より大きいものが好ましい。したがって、下記の表１において、各測定例のスクリーンについて、ピークゲインが０．５より大きいものを良とし、０．５以下であるものを不可として評価した。なお、輝度は、正面方向が最も高く、ここでのピークゲインは、点Ａに入射する光の照度と、点Ａからの反射光を正面方向で測定した輝度との比に相当する。
上記の視野角及びピークゲインの測定において、輝度は、輝度計（トプコン社製  ＭＢ−５Ａ）により測定し、照度は、照度計（トプコン社製  ＩＭ−２Ｄ）により測定した。
【００４９】
【表１】
0006988070.tif 000002
【００５０】
表１は、各測定例のスクリーンについて、凹凸の平均傾斜角θａと視野角、ピークゲインに関する評価結果をまとめた表である。
表１に示すように、凹凸の平均傾斜角θａが好ましい範囲を満たしている測定例２〜５のスクリーンは、十分な視野角を有し、かつ、ピークゲインが高く明るい映像を表示していた。
しかし、凹凸の平均傾斜角θａが好ましい範囲を満たしていない測定例１のスクリーンは、ピークゲインが十分な高さを満たしているが、視野角が狭すぎ、スクリーンとして好ましくなかった。また、凹凸の平均傾斜角θａが好ましい範囲を満たしていない測定例６のスクリーンは、視野角が十分な大きさを満たしているが、ピークゲインが低く映像が暗くなり、スクリーンとして好ましくなかった。
なお、各測定例のスクリーンは、いずれも十分な透明性を有していた。
以上のことから、凹凸の平均傾斜角θａが好ましい範囲を満たしている本実施形態のスクリーン１０及び映像表示装置１は、スクリーン１０が高い透明性有しながら、十分な視野角を有し、かつ、ピークゲインが高く明るい映像を表示できる。
【００５１】
（変形形態）
以上説明した実施形態に限定されることなく、種々の変形や変更が可能であって、それらも本発明の範囲内である。
（１）実施形態において、スクリーン１０の映像源側（＋Ｚ側）の表面に、傷つき防止を目的としたハードコート層を設けてもよい。ハードコート層は、例えば、スクリーン１０の映像源側の面（基材層１１の映像源側の面）に、ハードコート機能を有する紫外線硬化型樹脂（例えば、ウレタンアクリレート等）を塗布して形成する等により、形成される。
また、ハードコート層に限らず、スクリーン１０の使用環境や使用目的等に応じて、例えば、反射防止機能、紫外線吸収機能、防汚機能、帯電防止機能等、適宜必要な機能を有する層を１つ又は複数選択して設けてもよい。さらに、基材層１１の映像源側（観察者側）にタッチパネル層等を設けてもよい。
【００５２】
特に、反射防止層は、映像光のスクリーン入射時の反射を抑制して映像光の入射光量を増加させることに加え、反射層１３で反射した映像光が、スクリーン１０の映像源側の空気との界面で反射して、背面側から出射して背面側に映像が漏れたように表示されることを防止できる。
なお、スクリーン１０の映像源側（＋Ｚ側）の面に限らず、背面側の表面にハードコート機能や反射防止機能等を有する層を備えてもよい。
【００５３】
（２）実施形態において、反射層１３よりも映像源側に、光を透過するが、黒や灰色等の暗色系の着色材等で着色され、光吸収性を有する光吸収層を備える形態とし、映像の黒輝度の低減や映像源側からの外光吸収を図り、映像のコントラスト向上を図ってもよい。
また、実施形態において、反射層１３よりも背面側に、上述のような光吸収層を設けて、背面側から入射する外光を吸収し、映像のコントラスト向上を図ってもよい。
なお、上述の光吸収層は、着色材を含有せず、透明な層であって光吸収作用を有する層としてもよい。
【００５４】
（３）実施形態において、映像源ＬＳは、スクリーン１０の画面左右方向の中央であって鉛直方向下側に位置する例を挙げて説明したが、これに限らず、例えば、スクリーン１０の斜め下側等に配置され、スクリーン１０に対して画面左右方向において斜め方向光から映像光Ｌを投射する形態としてもよい。
図５は、変形形態の映像表示装置１Ａを示す図である。
図５では、理解を容易にするために、スクリーン１０Ａの第１光学形状層は、柱状の単位光学形状２２１が背面側に配列され、リニアフレネルレンズ形状を有する例を示したが、これに限らず、前述の各実施形態のようにサーキュラーフレネルレンズ形状を有していてもよしいし、柱状の単位プリズムが複数された形態としてもよい。
【００５５】
図５に示すように、例えば、映像源ＬＳをスクリーン１０Ａの画面左右方向左側（−Ｘ側）の下方に配置する場合、単位光学形状２２１は、その配列方向及び長手方向が、映像源ＬＳの位置に合わせてそれぞれ画面上下方向（Ｙ方向）及び画面左右方向（Ｘ方向）に対して傾斜した形態となっている。このような形態とすることにより、映像源ＬＳの位置等を自由に設定することができる。
なお、前述の実施形態に示すスクリーン１０のように、第１光学形状層１２がサーキュラーフレネルレンズ形状を有する場合にも、映像源ＬＳの位置に合わせてフレネルセンターとなる点Ｃの位置をずらすことにより、このような変形形態は適用可能である。
【００５６】
（４）実施形態において、第１斜面１２１ａ及び第２斜面１２１ｂは、平面により形成される例を示したが、これに限らず、例えば、曲面と平面とが組み合わされた形態としてもよいし、折れ面状としてもよい。
また、単位光学形状１２１は、３つ以上の複数の面によって形成される多角形形状としてもよい。
また、反射層１３は、単位光学形状１２１の第１斜面１２１ａ及び第２斜面１２１ｂに形成される例を示したが、これに限らず、例えば、第１斜面１２１ａの少なくとも一部に形成される形態としてもよい。
また、第１斜面１２１ａ及び第２斜面１２１ｂは、その表面が微細かつ不規則な凹凸形状を有する粗面である例を示したが、これに限らず、第１斜面１２１ａのみが粗面である形態としてもよい。
【００５７】
（５）実施形態において、スクリーン１０は、第１光学形状層１２及び第２光学形状層１４が十分な厚みや剛性等を有している場合には、基材層１１及び保護層１５を備えない形態としてもよいし、どちらか一方を備えない形態としてもよい。
また、スクリーン１０は、基材層１１及び保護層１５の少なくとも一方を、ガラス板等の光透過性を有する板状の部材としてもよい。このとき、粘着剤層等を介して第１光学形状層１２等がガラス板等に接合される形態としてもよい。
【００５８】
（６）実施形態において、映像源ＬＳは、例えば、Ｐ波の偏光成分を有する映像光を投射するものとしてもよい。
このとき、映像源ＬＳは、映像光が入射角φでスクリーン１０へ投射されるように位置及び角度が設定されている。この入射角φは、スクリーン１０へ投射された映像光（Ｐ波）の反射率がゼロとなる入射角（ブリュースター角）をφｂ（°）とした場合、（φｂ−１０）°以上８５°以下の範囲に設定される。例えば、スクリーン１０へ投射された映像光の反射率がゼロとなる入射角φｂが６０°である場合、映像光の入射角φは、５０〜８５°の範囲に設定される。
【００５９】
このように、Ｐ波の偏光成分を有する映像光を投射する映像源ＬＳを用いることにより、スクリーン１０への入射角φが大きい場合にも、スクリーン１０の表面における鏡面反射を抑制することができ、映像源ＬＳの設置位置等、投射系の設計の自由度を上げることができる。また、このような映像源ＬＳを用いることにより、スクリーン１０に入射する際にスクリーン表面での映像光の反射を低減でき、映像の明るさ、鮮明さの向上を図ることができる。
なお、角度φｂ（ブリュースター角）は、映像光が投射されるスクリーン１０の表面の材質により異なる。
また、このような形態の場合、基材層１１及び保護層１５としては、ＴＡＣ製のシート状の部材が好適である。
【００６０】
（７）実施形態において、映像表示装置１は、店舗等のショーウィンドウに配置される例を示したが、これに限らず、例えば、室内用のパーテーションや、展示会等における映像表示等にも適用できる。また、スクリーン１０をフロントガラスに貼り合わせる等し、映像表示装置１を自動車のヘッドアップディスプレイ（ＨＵＤ：ＨＥＡＤ−Ｕｐ  Ｄｉｓｐｌａｙ）に適用してもよいし、自動車以外の乗り物に適用してもよい。
【００６１】
なお、本実施形態及び変形形態は、適宜組み合わせて用いることもできるが、詳細な説明は省略する。また、本発明は以上説明した実施形態等によって限定されることはない。
【符号の説明】
【００６２】
１    映像表示装置
１０    スクリーン
１１    基材層
１２    第１光学形状層
１３    反射層
１４    第２光学形状層
１５    保護層
ＬＳ    映像源
【図１】
0006988070.tif 000003
【図２】
0006988070.tif 000004
【図３】
0006988070.tif 000005
【図４】
0006988070.tif 000006
【図５】
0006988070.tif 000007